(57)【要約】【課題】停電時や電動駆動手段の故障時に扉体の前後方向の移動を容易に行うことができる展示ケースを提供すること。【解決手段】少なくとも１枚の扉体６を略面一状態から前方に移動させた状態で、扉体６を左右方向に移動させることにより開口部５を開放させる展示ケース１であって、  電動駆動手段１３は、扉体６に設けられた摺動プレート２４を、電動モータ３３の回転駆動により回転する左右方向に延びるネジ軸２５を介して前後方向に移動させるようになっており、ネジ軸２５を手動操作により回転させる手動駆動手段３４が設けられる。【選択図】図３
2011062260.tif 000002
【特許請求の範囲】
【請求項１】
透明板を有して展示スペースの前方の開口部を左右方向に略面一状態で閉塞する複数枚の扉体と、少なくとも１枚の扉体を前後方向に移動可能に支持する前後移動支持手段と、該扉体を前後方向に移動させる電動駆動手段と、該扉体を左右方向に移動可能に支持する左右移動支持手段と、を備え、前記少なくとも１枚の扉体を前記略面一状態から前方に移動させた状態で、該扉体を左右方向に移動させることにより前記開口部を開放させる展示ケースであって、
前記電動駆動手段は、前記扉体に設けられた摺動プレートを、電動モータの回転駆動により回転する左右方向に延びるネジ軸を介して前後方向に移動させるようになっており、該ネジ軸を手動操作により回転させる手動駆動手段が設けられることを特徴とする展示ケース。
【請求項２】
前記ネジ軸の一方の端部に前記電動モータを接続するとともに、該ネジ軸の他方の端部に前記手動駆動手段を接続することを特徴とする請求項１に記載の展示ケース。
【請求項３】
前記電動モータと前記ネジ軸と前記手動駆動手段とは、正面視及び平面視で略同一線上に配置されることを特徴とする請求項２に記載の展示ケース。
【請求項４】
前記手動駆動手段の操作部を前方側に配置し、該操作部が回転ハンドルまたは電動ドライバに接続できる接続手段を有していることを特徴とする請求項１ないし４のいずれかに記載の展示ケース。
【発明の詳細な説明】
【技術分野】
【０００１】
本発明は、博物館や美術館等に設置される作り付けの展示ケースに関する。
【背景技術】
【０００２】
従来、博物館や美術館等の設置される作り付けの展示ケースでは、ガラス板の扉によりケース本体の開口部を閉塞するようになっており、この開口部を開放する際には、電動駆動手段により扉を前方に移動させた後に、手作業により扉を左右方向に移動させてケース本体の開口部を開放させるようになっている。そして、このような展示ケースでは、扉を前方に移動させる際に、電動駆動手段が有する電動モータによりねじ軸を回転させるようにしており、このねじ軸に螺合された移動ブロックが移動されることにより、摺動プレートが前方に移動して扉が前方に移動されるようになっている（例えば、特許文献１参照）。
【先行技術文献】
【特許文献】
【０００３】
【特許文献１】特開２００３−３２１９７２号公報（第４頁、第４図）
【発明の概要】
【発明が解決しようとする課題】
【０００４】
しかしながら、特許文献１に記載の展示ケースにあっては、停電時や電動駆動手段（電動モータ）の故障時には、電動駆動手段により扉を前方に移動できなくなってしまうため、停電時や電動駆動手段の故障時に扉を開放させる際には、扉と電動駆動手段との機械的な接続を断ち、手作業により扉を前方に移動させなければならず、扉の開放作業に手間がかかってしまうという問題がある。
【０００５】
本発明は、このような問題点に着目してなされたもので、停電時や電動駆動手段の故障時に扉体の前後方向の移動を容易に行うことができる展示ケースを提供することを目的とする。
【課題を解決するための手段】
【０００６】
前記課題を解決するために、本発明の展示ケースは、
透明板を有して展示スペースの前方の開口部を左右方向に略面一状態で閉塞する複数枚の扉体と、少なくとも１枚の扉体を前後方向に移動可能に支持する前後移動支持手段と、該扉体を前後方向に移動させる電動駆動手段と、該扉体を左右方向に移動可能に支持する左右移動支持手段と、を備え、前記少なくとも１枚の扉体を前記略面一状態から前方に移動させた状態で、該扉体を左右方向に移動させることにより前記開口部を開放させる展示ケースであって、
前記電動駆動手段は、前記扉体に設けられた摺動プレートを、電動モータの回転駆動により回転する左右方向に延びるネジ軸を介して前後方向に移動させるようになっており、該ネジ軸を手動操作により回転させる手動駆動手段が設けられることを特徴としている。
この特徴によれば、使用者が手動駆動手段を用いてネジ軸を手動操作により回転させて、摺動プレートを前後方向に移動させ、扉体を前後方向に移動させることができ、停電時や電動駆動手段が有する電動モータの故障時に扉体の前後方向の移動を容易に行うことができる。
【０００７】
本発明の展示ケースは、
前記ネジ軸の一方の端部に前記電動モータを接続するとともに、該ネジ軸の他方の端部に前記手動駆動手段を接続することを特徴としている。
この特徴によれば、電動モータ及び手動駆動手段がネジ軸の左右両端部にそれぞれ配置されるようになり、電動モータとネジ軸と手動駆動手段の配置状態を、複数の扉体の配置に合わせて左右方向に延びる配置状態にでき、電動モータとネジ軸と手動駆動手段の配置スペースを容易に確保できる。
【０００８】
本発明の展示ケースは、
前記電動モータと前記ネジ軸と前記手動駆動手段とは、正面視及び平面視で略同一線上に配置されることを特徴としている。
この特徴によれば、前後幅及び上下幅の寸法を小さくした状態で電動モータとネジ軸と手動駆動手段とを配置して、省スペース化を図ることができ、展示スペースや開口部を大きく形成することができる。
【０００９】
本発明の展示ケースは、
前記手動駆動手段の操作部を前方側に配置し、該操作部が回転ハンドルまたは電動ドライバに接続できる接続手段を有していることを特徴としている。
この特徴によれば、平常時には、手動駆動手段を駆動させるための回転ハンドルまたは電動ドライバを別途保管しておくことができ、展示ケースの前方側の見栄えを向上させつつ、停電時や電動駆動手段が有する電動モータの故障時には、接続手段となっている前方側にある操作部に回転ハンドルまたは電動ドライバを容易に接続できるようになっており、回転ハンドルまたは電動ドライバの駆動力によって手動駆動手段を駆動させることができ、手動駆動手段による扉体の前後移動操作を容易に行うことができる。
【図面の簡単な説明】
【００１０】
【図１】実施例における展示ケースを示す正面図である。
【図２】展示ケースの上部及び下部の扉駆動装置を示す縦断正面図である。
【図３】上部の扉駆動装置を示す平面図である。
【図４】後方位置にある扉体及び扉駆動装置の状態を示す縦断側面図である。
【図５】前方位置にある扉体及び扉駆動装置の状態を示す縦断側面図である。
【図６】回転ハンドルによる手動駆動ボックスの駆動動作を示す側面図である。
【図７】電動ドライバによる手動駆動ボックスの駆動動作を示す側面図である。
【発明を実施するための形態】
【００１１】
本発明に係る展示ケースを実施するための形態を実施例に基づいて以下に説明する。
【実施例】
【００１２】
実施例に係る展示ケースにつき、図１から図５を参照して説明する。以下、図１及び図２の紙面手前側を展示ケースの正面側（前方側）とし、図３の紙面下側を展示ケースの正面側（前方側）とし、図４及び図５の紙面左側を正面側（前方側）として説明する。
【００１３】
図１の符号１は、主に美術館や博物館等に設置される作り付けの展示ケースである。この展示ケース１は、その内部に大型の展示品２を展示できるようになっており、その後面側が室内の壁面に当接するように設置され、この展示ケース１内の展示スペース３に配置された展示品２を、鑑賞者４が展示ケース１の前方から鑑賞できるようになっている。
【００１４】
図１に示すように、展示ケース１は、前方が開口する略箱型形状に形成されている。この展示ケース１は、前方の開口部５を閉塞する３枚の扉体６が左右方向に並設されている。各扉体６は、本発明における透明板としての透明なガラスパネル７と、ガラスパネル７の上下の後面に接着されたガイドレール８と、ガイドレール８を前後移動可能に支持する前後動フレーム９と、を有している。
【００１５】
また、扉体６が閉塞しているときには、複数の扉体６が略面一状態に配置されるようになっている。また、各扉体６は、扉体６同士の隙間を塞ぐパッキン１０を有しており、扉体６が閉塞しているときには、展示ケース１内部が密閉された状態となっている。
【００１６】
尚、後述するように、扉体６が略面一状態から前方に移動されて、前方位置に配置されているときには、左の扉体６は右方に、右の扉体６は左方に、中央の扉体６は左右両方向に使用者の手動作業により移動させることができる。
【００１７】
図４に示すように、展示ケース１の開口部５の上部には、左右方向に延設された上部フレーム１１が設けられるとともに、開口部５の下部には、左右方向に延設された下部フレーム１２が設けられている。特に図示はしないが、上部フレーム１１と下部フレーム１２とを連結する左右位置に配置された左右フレーム（図示略）が設けられており、これらの開口部５の周囲に配置されるフレーム１１，１２によって支持枠が構成されている。
【００１８】
図２に示すように、上部フレーム１１と下部フレーム１２のそれぞれには、扉体６を前後方向に移動させるための本発明における電動駆動手段としての扉駆動装置１３が取り付けられている。また、扉体６の上下には、幕板１４が手前方向に開放可能に取り付けられており、扉駆動装置１３が外側から見えないようになっている（図４参照）。
【００１９】
扉体６の上下のガイドレール８及び上下の扉駆動装置１３は、その構成を上下反転させた上下対称の略同一構成となっているので、上部側のガイドレール８及び扉駆動装置１３について説明し、下部側のガイドレール８及び扉駆動装置１３の説明を省略する。
【００２０】
先ず、図４に示すように、扉体６の上部側のガイドレール８は、側面視で略Ｅ字形状をなしており、後方側に開口された上下２つのガイド溝部１５，１６が形成されている。尚、上下２つのガイド溝部１５，１６のうち、下方のガイド溝部１６はあり溝となっている。ガイドレール８の後方には、本発明における支持フレームとしての前後動フレーム９が設けられている。尚、この前後動フレーム９の後方には照明器具（図示略）等が配置される。
【００２１】
図２に示すように、前後動フレーム９の前面には、複数の配置箇所に回転軸が前後方向を向くローラ１７（カムフォロア）が枢着されている。このローラ１７によってガイドレール８が左右方向に移動可能に支持されるとともに、ローラ１７がガイドレール８のガイド溝部１６内で転動することにより扉体６が左右方向に移動可能になっている。尚、前後動フレーム９と、この前後動フレーム９の前面のローラ１７と、ローラ１７により支持されるガイドレール８とにより本発明の左右移動支持手段が構成される。
【００２２】
ローラ１７は、１つの前後動フレーム９における略所定間隔毎に設けられた４つの配置箇所に配置されている。尚、中央の前後動フレーム９の両端の配置箇所と、右の前後動フレーム９の左端の配置箇所と、左の前後動フレーム９の右端の配置箇所には、それぞれ３個のローラ１７が連設された３連ローラ１８設けられている。
【００２３】
つまり前後動フレーム９における扉体６を開放させる際に、その扉体６が移動する開放方向（移動方向）の端部の配置箇所に３連ローラ１８が設けられている。この３連ローラ１８により扉体６が開放された際にガイドレール８及び各ローラ１７に掛かる力が分散されるようになっている。尚、３連ローラ１８は上下に配置された前後動フレーム９のうち、上方側の前後動フレーム９のみに設けられている。
【００２４】
前後動フレーム９には、ローラ１７が配置された位置よりも若干上方側にストッパー１９が取り付けられている。このストッパー１９は、ガイドレール８における上のガイド溝部１５に遊嵌されており、このガイド溝部１５の内部には、扉体６が開放される際にストッパー１９に当たる突出部２０が形成されている。このストッパー１９の取り付け位置により扉体６の開口率が規定される。尚、本実施例では、扉体６の開口率が５０％以上となっている。
【００２５】
図２に示すように、前後動フレーム９の上面には、正面視で略Ｌ字形状をなす複数のローラ固定部材２１が取り付けられている。尚、前後動フレーム９の左端には、一対のローラ固定部材２１が対向するように配置されている。ローラ固定部材２１には、回転軸が左右方向を向くローラ２２（カムフォロア）が枢着されている。
【００２６】
上部フレーム１１には、ローラ２２を前後方向に摺動可能に支持する固定レール２３が固着されている。ローラ２２とともに、ローラ固定部材２１及び前後動フレーム９は、前後方向に自在に移動可能となっている。尚、固定レール２３に前後移動可能に支持されるローラ２２と、このローラ２２を固定するローラ固定部材２１と、前後動フレーム９とにより本発明における前後移動支持手段を構成している。
【００２７】
図２に示すように、前後動フレーム９の上面には、左右に２枚の摺動プレート２４が固定されている。左右の摺動プレート２４の上方には、ネジ軸２５がそれぞれ１本ずつ左右方向に延設されており、このネジ軸２５は、その両端に取り付けられた２つのネジ軸支持部材２６を介して上部フレーム１１に固定されている。
【００２８】
また、それぞれのネジ軸２５には、２つのネジ軸支持部材２６の間を移動する移動部材２７が取り付けられている。尚、移動部材２７の内側には、ネジ軸２５と螺合するネジ溝が形成されており、ネジ軸２５の回転とともに移動部材２７が左右方向に移動されるようになっている。移動部材２７には、その下方にピン２８が取り付けられており、このピン２８の先端部は、摺動プレート２４に設けられた摺動溝２９に係合されている。
【００２９】
図３に示すように、摺動プレート２４の摺動溝２９は、平面視において後方から前方に向かって斜め方向に延びるように穿設されている。尚、左右の摺動プレート２４の摺動溝２９は、それぞれ左右対称に形成されている。
【００３０】
また、ネジ軸２５の後方には、ネジ軸２５と平行してシャフト３０が延設されており、このシャフト３０には、移動部材２７と接続され、かつ移動部材２７を案内するリニアブッシュ３２が取り付けられている。
【００３１】
左右の摺動プレート２４にそれぞれ対応したネジ軸２５のネジ溝は、互いに逆向きに螺設されている。左右のネジ軸２５は、シャフト３１を介して連結している。更に、右側のネジ軸２５の右端部には、ネジ軸２５を駆動回転させる電動モータ３３が連結されており、左側のネジ軸２５の左端部には、ネジ軸２５を手動で回転させることができる手動駆動ボックス３４（手動駆動手段）が連結されている。尚、電動モータ３３は、本発明における制御手段としての制御装置（図示略）によって制御される。
【００３２】
図２及び図３に示すように、上部フレーム１１には、扉体６の前後位置を検出するためのリミットスイッチ３５が設けられている。このリミットスイッチ３５は、左右２つで１組のスイッチとなっており、右側のネジ軸２５の近傍に配置され、制御装置（図示略）に接続されている。
【００３３】
この左右に配置されたリミットスイッチ３５のうち、どちらかのリミットスイッチ３５が移動部材２７を検出するようになっており、一方のリミットスイッチ３５が移動部材２７を検出した場合には、扉体６が後方位置にあることを示し、他方のリミットスイッチ３５が移動部材２７を検出した場合には、扉体６が前方位置にあることを示している。制御装置（図示略）は、リミットスイッチ３５による移動部材２７の検出に基づいて、扉体６の前後位置を把握し、電動モータ３３の駆動を制御している。
【００３４】
展示ケース１の側部には、扉駆動装置１３の電動モータ３３を制御する制御装置（図示略）を有する扉駆動装置制御ボックス３６が取り付けられている。使用者は、扉駆動装置制御ボックス３６に設けられた各扉体６に対応した開ボタン及び閉ボタン（図示略）を操作することによって各扉体６の前後移動を行うことができるようになっている。
【００３５】
尚、開ボタンと閉ボタンは電動モータ３３を駆動させるボタンであり、開ボタンが押されたときにネジ軸２５が正回転され、閉ボタンが押されたときにネジ軸２５が逆回転されるようになっている。
【００３６】
以下、中央の扉体６の開閉動作について説明する。左右の扉体６の開閉については、中央の扉体６の開閉動作と同様であるため、重複する説明を省略する。
【００３７】
先ず、図４及び図５に示すように、扉体６が開放される際には、扉体６を電動モータ３３により前方に所定距離移動した後に、手動作業により左右方向に移動させることにより扉体６は開放される。尚、ここで所定距離とは、扉体６の厚みを超える程度の距離である。また、扉体６が後方に移動された位置を後方位置とし、扉体６が前方に移動された位置を前方位置とし、扉体６が後方位置にあり閉塞しているときと、その中心を同じくする扉体６の配置位置を閉塞可能位置として説明する。
【００３８】
扉体６が後方位置にあるときには、右側のネジ軸２５に設けられた移動部材２７が右端位置に配置され、左側のネジ軸２５に設けられた移動部材２７が左端位置に配置されている（図２、図３参照）。また、前後動フレーム９の上方に設けられたローラ２２は、固定レール２３の後方位置に配置している（図４参照）。
【００３９】
使用者が扉駆動装置制御ボックス３６内の開ボタンを押すと、上下の電動モータ３３が駆動してネジ軸２５が回転する。左右のネジ軸２５は、それぞれ逆向きのネジ溝が形成されているため、ネジ軸２５は同じ方向に回転するが、左右のネジ軸２５の回転とともに、右の移動部材２７は左方に移動し、左の移動部材２７は右方に移動する。
【００４０】
図３に示すように、移動部材２７とリニアブッシュ３２とが接続されているため、移動部材２７とともにリニアブッシュ３２も同方向に移動する。尚、移動部材２７にリニアブッシュ３２が接続されていることにより、ネジ軸２５の回転とともに移動部材２７が回転してしまうのを防止することができる。
【００４１】
移動部材２７に取り付けられているピン２８は、摺動プレート２４の摺動溝２９に嵌合しており、移動部材２７及びピン２８の移動とともに、摺動プレート２４が前方に移動する。摺動プレート２４は、扉体６に接着されたガイドレール８の上面に固定されているため、摺動プレート２４が前方に移動することにより前後動フレーム９が前方位置まで移動される（図５参照）。
【００４２】
また、前後動フレーム９が前方に移動されるに伴い、扉体６が前方位置に移動される。尚、前後動フレーム９が移動される際には、ローラ２２は、固定レール２３の後方から前方に移動して、前方に移動される扉体６が支持される。
【００４３】
ネジ軸２５の回転駆動により移動部材２７が移動されて、左側のリミットスイッチ３５が移動部材２７を感知すると、制御装置（図示略）は、扉体６が前方位置まで移動したと判断し、電動モータ３３を停止させる。このとき扉体６は、前方位置に配置され、前後移動した扉体６の後面は、隣接する左右の扉体６の前面よりも前方に配置されており、扉体６を左右に移動できる状態になる。
【００４４】
そして、扉体６の左右方向の移動は手動作業により行われる。例えば、前方位置にある中央の扉体６が左方向に開放されると、扉体６の移動とともに、前後動フレーム９に取り付けられたローラ１７がガイドレール８のガイド溝部１６内で転動される。
【００４５】
更に、扉体６が移動されると、ガイドレール８の後方に取り付けられた突出部２０が、前後動フレーム９の前部に取り付けられたストッパー１９に当接したところで扉体６の移動が規制される。そして、扉体６が開放された状態で、展示スペース３に対して展示品２の出し入れを行うことができる。
【００４６】
尚、本実施例では、扉体６は、５０％以上の開口率で開放された位置で、ガイドレール８の突出部２０が前後動フレーム９のストッパー１９に当接される。尚、左右の扉体６は左右のいずれか一方向にのみ開放される。そのため左右の扉体６のストッパー１９及び突出部２０は上部にのみ取り付けられている。
【００４７】
また、中央の扉体６は左右両方向に開放されるため、左開放時に当接するストッパー１９と突出部２０は下部に、右開放時に当接するストッパー１９と突出部２０は上部に取り付けられ、使い分けされるように設置されている。
【００４８】
次に、中央の扉体６が後方位置に移動される動きについて説明する。中央の扉体６が左方向に開放された場合は、使用者が右方向に手動で移動して閉塞可能位置に戻し、使用者が扉駆動装置制御ボックス３６の閉ボタン（図示略）を押す。すると、上下の電動モータ３３が駆動して、開ボタンを押したときと逆向きにネジ軸２５が回転する。左右のネジ軸２５の回転とともに、右のネジ軸２５に取り付けられた移動部材２７は右方に移動し、左のネジ軸２５に取り付けられた移動部材２７は左方に移動する。
【００４９】
移動部材２７とともにリニアブッシュ３２も同方向に移動し、移動部材２７とピン２８が移動するとともに、ピン２８に摺動溝２９が係合された摺動プレート２４が後方に移動される。摺動プレート２４が後方に移動されることにより、前後動フレーム９が後方に移動される（図４参照）。
【００５０】
また、前後動フレーム９が後方に移動されに伴い、扉体６が後方位置に移動される。
尚、前後動フレーム９が移動される際には、ローラ２２は、固定レール２３の前方から後方に移動して、後方に移動される扉体６が支持される。
【００５１】
ネジ軸２５の回転駆動により移動部材２７が移動されて、右側のリミットスイッチ３５が移動部材２７を感知すると、制御装置（図示略）は、扉体６が後方位置まで移動したと判断し、電動モータ３３を停止させる。
【００５２】
次に、前述した手動駆動ボックス３４について詳述する。図２に示すように、手動駆動ボックス３４は、ネジ軸２５に接続されており、かつ手動駆動ボックス３４の前方には、本発明における操作部としての操作軸４３が設けられ、操作軸４３とネジ軸２５とが手動駆動ボックス３４内部の傘歯車（図示略）により接続される。この操作軸４３には、本発明における六角形の挿込口４４（接続手段）が設けられており、操作軸４３を回転ハンドル４８または電動ドライバ４５にて操作可能となっている。
【００５３】
図２及び図３に示すように、電動モータ３３とネジ軸２５と手動駆動ボックス３４とは、正面視及び平面視で略同一線上に配置されている（図２、図３参照）。そのため、前後幅及び上下幅の寸法を小さくした状態で電動モータ３３とネジ軸２５と手動駆動ボックス３４とを配置して、省スペース化を図ることができ、展示スペース３や開口部を大きく形成することができる。尚、電動モータ３３と左側のネジ軸２５は、カップリング４６を介して切り離し可能に連結されている。
【００５４】
次に、手動駆動ボックス３４を用いて扉体６を前後移動させる際の動作について説明する。本実施例における展示ケース１は、前述した電動モータ３３を用いた扉体６の前後移動作業は、故障時や停電時には使用できないが、そのような非常時においても手動駆動ボックス３４を用いて手動で扉体６を前後方向に移動できるようになっている。
【００５５】
先ず、扉体６を前方位置に移動する場合には、上下の幕板１４を手前方向に開放し、図６に示すように、手動駆動ボックス３４の前方の操作軸４３に設けられた挿込口４４に回転ハンドル４８の接続部４９を挿し込み、手動で回転させると、手動駆動ボックス３４を介して回転ハンドル４８の回転力がネジ軸２５に伝えられ、ネジ軸２５が回転される。
【００５６】
そして、前述した電動モータ３３を用いた場合と同様に、ネジ軸２５が回転されて移動部材２７が移動されることにより、移動部材２７に取り付けられているピン２８が係合している摺動プレート２４が前方に移動し、扉体６が前方に移動される。更に、ピン２８が摺動プレート２４の摺動溝２９を移動して、摺動溝２９の端部にピン２８が配置されたところでそれ以上ネジ軸２５は回転できなくなり、扉体６が前方位置で停止される。続いて、使用者は、前方位置に移動した扉体６を手動作業にて左右方向に移動して開放することができる。
【００５７】
次に、扉体６を後方位置に移動する場合には、使用者が手動で扉体６を開放時と反対方向に扉体６を移動させて、扉体６を閉塞可能位置に戻す。そして、手動駆動ボックス３４の操作軸４３に設けられた挿込口４４に回転ハンドル４８の接続部４９を挿し込み、開放作業時と逆方向に回転させることにより、ネジ軸２５が逆方向に回転し、摺動プレート２４が後方に移動されるとともに、扉体６が後方に移動される。
【００５８】
また、回転ハンドル４８の代わりに、電動ドライバ４５を用いて扉体６を前後移動させることもできる。先ず、扉体６を前方位置に移動する場合には、上下の幕板１４を手前方向に開放し、図７に示すように、手動駆動ボックス３４の前方の操作軸４３に設けられた挿込口４４に電動ドライバ４５の接続部４７を挿し込み、電動ドライバ４５の電源を入れて接続部４７を回転させると、手動駆動ボックス３４を介して電動ドライバ４５の回転力がネジ軸２５に伝えられ、ネジ軸２５が回転される。
【００５９】
そして、前述した電動モータ３３を用いた場合と同様に、ネジ軸２５が回転されて移動部材２７が移動されることにより、移動部材２７に取り付けられているピン２８が係合している摺動プレート２４が前方に移動し、扉体６が前方に移動される。更に、ピン２８が摺動プレート２４の摺動溝２９を移動して、摺動溝２９の端部にピン２８が配置されたところでそれ以上ネジ軸２５は回転できなくなり、扉体６が前方位置で停止される。続いて、使用者は、前方位置に移動した扉体６を手動作業にて左右方向に移動して開放することができる。
【００６０】
次に、扉体６を後方位置に移動する場合には、使用者が手動で扉体６を開放時と反対方向に扉体６を移動させて、扉体６を閉塞可能位置に戻す。そして、手動駆動ボックス３４の操作軸４３に設けられた挿込口４４に挿し込んだ電動ドライバ４５の接続部４７の回転方向を切り替え、開放作業時と逆方向に接続部４７を回転させることにより、ネジ軸２５が逆方向に回転し、摺動プレート２４が後方に移動されるとともに、扉体６が後方に移動される。
【００６１】
また、手動駆動ボックス３４の操作軸４３が前方に設けられていることにより、後面側が壁面に当接して設置されている展示ケース１において、使用者は安全で楽な姿勢で作業を行うことができる。
【００６２】
以上、本実施例における展示ケース１は、扉駆動装置１３は、扉体６に設けられた摺動プレート２４を、電動モータ３３の回転駆動により回転する左右方向に延びるネジ軸を介して前後方向に移動させるようになっており、ネジ軸２５を手動操作により回転させる手動駆動ボックス３４が設けられることで、使用者が手動駆動ボックス３４を用いてネジ軸２５を手動操作により回転させて、摺動プレート２４を前後方向に移動させ、扉体６を前後方向に移動させることができ、停電時や扉駆動装置１３が有する電動モータ３３の故障時に扉体６の前後方向の移動を容易に行うことができる。
【００６３】
また、ネジ軸２５の一方の端部に電動モータ３３を接続するとともに、ネジ軸２５の他方の端部に手動駆動ボックス３４を接続することで、電動モータ３３及び手動駆動ボックス３４がネジ軸２５の左右両端部にそれぞれ配置されるようになり、電動モータ３３とネジ軸２５と手動駆動ボックス３４の配置状態を、複数の扉体６の配置に合わせて左右方向に延びる配置状態にでき、電動モータ３３とネジ軸２５と手動駆動ボックス３４の配置スペースを容易に確保できる。
【００６４】
また、電動モータ３３とネジ軸２５と手動駆動ボックス３４とは、正面視及び平面視で略同一線上に配置されることで、前後幅及び上下幅の寸法を小さくした状態で電動モータ３３とネジ軸２５と手動駆動ボックス３４とを配置して、省スペース化を図ることができ、展示スペース３や開口部５を大きく形成することができる。
【００６５】
また、手動駆動ボックス３４の操作軸４３を前方側に配置し、操作軸４３が回転ハンドル４８または電動ドライバ４５に接続できる挿込口４４を有していることで、平常時には、手動駆動ボックス３４を駆動させるための回転ハンドル４８または電動ドライバ４５を別途保管しておくことができ、展示ケース１の前方側の見栄えを向上させつつ、停電時や電動モータ３３の故障時には、操作軸４３の挿込口４４に回転ハンドル４８または電動ドライバ４５を容易に接続できるようになっており、回転ハンドル４８または電動ドライバ４５の駆動力によって手動駆動ボックス３４を駆動させることができ、手動駆動ボックス３４による扉体６の前後移動操作を容易に行うことができる。
【００６６】
以上、本発明の実施例を図面により説明してきたが、具体的な構成はこれら実施例に限られるものではなく、本発明の要旨を逸脱しない範囲における変更や追加があっても本発明に含まれる。
【００６７】
例えば、前記実施例では、３枚の扉体６を左右方向に並設して展示ケース１の開口部５を閉塞しているが、１枚または４枚以上の枚数の扉体６を左右方向に並設して開口部５を閉塞するようにしてもよい。更に、扉体６を４枚以上で構成した場合には、その中央の２枚の扉体６をそれぞれ逆方向に開放させることで、より大きな開口とすることができる。
【００６８】
また、前記実施例では、電動モータ３３とネジ軸２５と手動駆動ボックス３４とは、正面視及び平面視で略同一線上に配置されているが、電動モータ３３及び手動駆動ボックス３４のネジ軸２５に対する配置位置は、これに限ることなく、電動モータ３３及び手動駆動ボックス３４の配置位置がネジ軸２５に対して上下方向や前後方向にずれていてもよい。
【００６９】
また、右側のネジ軸２５の右端部には、ネジ軸２５を駆動回転させる電動モータ３３が連結されており、左側のネジ軸２５の左端部には、ネジ軸２５を手動で回転させることができる手動駆動ボックス３４が連結されているが、電動モータ３３と手動駆動ボックス３４とを同一のネジ軸２５に連結するようにしてもよい。
【符号の説明】
【００７０】
１                展示ケース
３                展示スペース
５                開口部
６                扉体
７                ガラスパネル（透明板）
１３              扉駆動装置（電動駆動手段）
２４              摺動プレート
２５              ネジ軸
３３              電動モータ
３４              手動駆動ボックス（手動駆動手段）
４３              操作軸（操作部）
４４              挿込口（接続手段）
４５              電動ドライバ
４８              回転ハンドル
【図１】
2011062260.tif 000003
【図２】
2011062260.tif 000004
【図３】
2011062260.tif 000005
【図４】
2011062260.tif 000006
【図５】
2011062260.tif 000007
【図６】
2011062260.tif 000008
【図７】
2011062260.tif 000009